(57)【要約】【課題】図形処理装置において、図形の実際の大きさを正確にイメージすることができるようにする。【解決手段】表示装置に図形を実寸大で表示する。これにより、図形の実際の大きさを直接的にイメージすることが可能となる。パソコン画面に実寸大で表示するとき、パソコン画面の単位サイズ当りのピクセル数を計算し、読み込んだ図形データのサイズを、単位サイズ当りのピクセル数に基づいてパソコン画面上のピクセル数に換算する（Ｓ１−３）。プロジェクタで実寸表示するとき（Ｓ４のＹＥＳ）は、プロジェクタに対するパソコン画面の縮小率を計算して（Ｓ８）、パソコン画面に縮小表示することにより、プロジェクタで実寸大の表示をする。【選択図】      図２
2004280271.tif 000002
【特許請求の範囲】
【請求項１】
表示装置のデータを取得する取得手段と、
読み込んだ図形データから前記表示装置で表示する図形形状を作成する際に、前記図形データのサイズ及び前記表示装置のデータに基づいて、前記表示装置に表示する図形形状が実物大となるように図形形状を作成する形状作成手段と、
作成した形状を前記表示装置の画面に表示する表示制御手段と、
を具備することを特徴とする図形処理装置。
【請求項２】
表示装置の画面サイズ及びピクセル数を取得する取得手段と、
取得した画面サイズとピクセル数から、単位サイズ当りのピクセル数を計算する計算手段と、
読み込んだ図形データから前記表示装置で表示する図形形状を作成する際に、前記単位サイズ当りのピクセル数に基づいて、前記表示装置に表示する図形形状が実物大となるように図形形状を作成する形状作成手段と、
作成した形状を前記表示装置の画面に表示する表示制御手段と、
を具備することを特徴とする図形処理装置。
【請求項３】
前記取得手段は、前記表示装置からその画面サイズとピクセル数を取得する請求項２に記載の図形処理装置。
【請求項４】
前記取得手段は、マニュアル操作による入力手段である請求項２に記載の図形処理装置。
【発明の詳細な説明】
【０００１】
【発明の属する技術分野】
本発明は、図形データを編集し、図形形状を表示装置に表示する図形処理装置に関する。
【０００２】
【従来の技術】
図形処理装置においては、図形形状を表示装置に表示するとき、実際の大きさをイメージできるようにする種々の技術が提案されている。
例えば、一定の寸法で刻まれた方眼状のスケールを画面に表示し、その中に図形を表示する技術がある（例えば、特許文献１参照。）。また、１０円玉のような、基準となる物を図形に並べて表示する技術がある（例えば、特許文献２参照。）。
【０００３】
【特許文献１】
特開平６−３０１７４９号公報
【特許文献２】
特開平３−１５９３４号公報
【０００４】
【発明が解決しようとする課題】
上記の各技術は、スケール又は基準物との相対比較により大きさをイメージさせるものであって、実際の大きさを直接イメージできるものではなかった。したがって、例えば、組み立てなどの手作業工程の作業性を検討する場合において、手に握ったときの大きさのイメージを正確に把握するというようなことはできなかった。
【０００５】
本発明は、図形処理装置において、図形の実際の大きさを正確にイメージすることができるようにすることを目的とするものである。
【０００６】
【課題を解決するための手段】
上記目的を達成するため、本発明は、表示装置に図形を実寸大で表示する。このため、表示装置の画面サイズ及びピクセル数から、単位サイズ当りのピクセル数を計算し、読み込んだ図形データから表示のための図形を作成する際に、図形データのサイズを、単位サイズ当りのピクセル数に基づいてピクセル数に換算する。
【０００７】
本発明によれば、図形が表示装置に実物大で表示される。したがって、実際の大きさを直接的にイメージすることが可能となる。
【０００８】
【発明の実施の形態】
本発明を３次元ＣＡＤ装置に利用した例について図を用いて説明する。
図１は、３次元ＣＡＤ装置の回路構成を示す。
３次元ＣＡＤ装置１に、キーボード、マウスなどの入力装置２が入力制御部３を介して接続され、液晶ディスプレイ４とプロジェクタ５が表示制御部７を介して接続される。プロジェクタ５は、スクリーンに画像を投影する。なお、プロジェクタ５は省略することができる。
【０００９】
３次元ＣＡＤ装置１に外部記憶装置８が接続される。外部記憶装置８は、各種プログラム、データを読み込むための入力装置、作成した図形データを記録する出力装置として機能する。
３次元ＣＡＤ装置１は、図形データ、プログラムなどを記憶する記憶部９、図形データに基づいて３次元形状を作成する形状作成部１０を具備する。
【００１０】
３次元ＣＡＤ装置１の動作を説明する。
３次元ＣＡＤ装置１により形状を作成するときは、入力装置２により、数値の入力、作図コマンド、編集コマンドの選択といった操作を繰り返す。これにより、図形データが作成され、記憶部９に記録される。また、作成済みの図形データを外部記憶装置８から読み込むこともできる。
【００１１】
形状作成部１０は、図形データの、形状作成コマンド、寸法などに基づいて、液晶ディスプレイ４とプロジェクタ５に表示する３次元形状の図形を作成する。
表示制御部７は、作成した図形形状を液晶ディスプレイ４とプロジェクタ５に出力する。なお、プロジェクタ５は、液晶ディスプレイ４の画像を単に拡大してスクリーンに表示する。
以上説明した動作は、通常の３次元ＣＡＤ装置で実施されていることなので、詳細な説明は省略する。
【００１２】
図２のフローチャートを用いて、表示装置４又はプロジェクタ５に表示する図形を、形状作成部１０により実物大で表示する処理を説明する。
なお、液晶ディスプレイ４とプロジェクタ５とでは、画面に表示されるサイズが異なるので、あらかじめどちらの表示装置に実寸大の表示をさせるかを３次元ＣＡＤ装置１に入力しておく。
【００１３】
ステップＳ１で、液晶ディスプレイ４の画面サイズを取得し、ステップＳ２で液晶ディスプレイ４のピクセル数を取得する。これらの取得は、キーボードなどの入力装置２からマニュアル操作で入力するものであっても良く、また、液晶ディスプレイ４から自動取得するものであっても良い。
【００１４】
ステップＳ３で、ピクセル間の距離を計算する。
図３を用いて、ステップＳ１−Ｓ３の計算内容を説明する。
液晶ディスプレイ４の画面サイズが縦２３５ｍｍ×横３１０ｍｍであり、ピクセル数が縦１０２４Ｐｉｘ×横１２８０Ｐｉｘであれば、ピクセル間のサイズは、次の（１）式のようになる。
２３５／１０２４＝０．２３ｍｍ／Ｐｉｘ      （１）
【００１５】
図２のステップＳ３の計算が終了すると、ステップＳ４で、実寸表示したい表示装置は液晶ディスプレイ４であるか否かが判定される。
液晶ディスプレイ４で実寸表示する（ＹＥＳ）のであれば、ステップＳ１０へ進む。プロジェクタ５で実寸表示する（ＮＯ）のであれば、ステップＳ５へ進む。
【００１６】
ステップＳ５で、プロジェクタ５の画面６のサイズを取得し、ステップＳ６でプロジェクタ５のピクセル数を取得する。これらの取得も、キーボードなどの入力装置２からのマニュアル操作又は液晶ディスプレイ４からの自動取得で行われる。
ステップＳ７で、ピクセル間の距離を計算する。
【００１７】
ステップＳ５−Ｓ７の計算内容も図３に示されている。
プロジェクタ５の画面６のサイズが縦１１８０ｍｍ×横１５５０ｍｍであり、ピクセル数が縦６００Ｐｉｘ×横８００Ｐｉｘであれば、ピクセル間のサイズは、次の（２）式のようになる。
１１８０／６００＝２．０ｍｍ／Ｐｉｘ      （２）
【００１８】
ステップＳ８で、縮尺を計算する。プロジェクタ５は、液晶ディスプレイ４の画面を拡大して表示する。（１）式に示したように、液晶ディスプレイ４のピクセル間のサイズが０．２３ｍｍ／Ｐｉｘで、（２）式に示したように、プロジェクタ５のピクセル間のサイズが２．０ｍｍ／Ｐｉｘであるので、プロジェクタ５の液晶ディスプレイ４に対する拡大率は８．７倍となり、液晶ディスプレイ４のプロジェクタ５に対する縮尺率は次の（３）式となる。
縮尺率＝１／８．７      （３）
【００１９】
ステップＳ９で、プロジェクタ５の画面６上で図形形状を実寸大で表示するときの液晶ディスプレイ４のピクセル間の距離を計算する。
このピクセル間の距離は、（１）式の液晶ディスプレイ４におけるピクセル間の距離を、（３）式のプロジェクタ５に対する液晶ディスプレイ４の縮尺率で割る。図３の例では、次の（４）式となる。
０．２３ｍｍ／Ｐｉｘ÷１／８．７＝２．００ｍｍ／Ｐｉｘ      （４）
【００２０】
ステップＳ１０で、ピクセル間の距離を用いて、図形データの各部分のサイズをピクセル数に換算して、液晶ディスプレイ４に表示する図形形状を作成する。
実寸表示したい表示装置が液晶ディスプレイ４であれば（ステップＳ４のＹＥＳ）、ピクセル間の距離はステップＳ３の（１）式で求めた数値を使用して、次の（５）式で求められる。
サイズ÷（０．２３ｍｍ／Ｐｉｘ）      （５）
例えば、１００ｍｍは、４３５ｐｉｘで表される。
【００２１】
実寸表示したい表示装置がプロジェクタ５であれば（ステップＳ４のＮＯ）、ピクセル間の距離はステップＳ９の（４）式で求められた数値を使用して、次の（６）式で求められる。
サイズ÷（２．００ｍｍ／Ｐｉｘ）      （６）
例えば、プロジェクタ５上の１００ｍｍは、液晶ディスプレイ４では５０ｐｉｘ、１１．５ｍｍで縮小表示される。
【００２２】
表示制御部７は、形状作成部１０が作成した図形を液晶ディスプレイ４とプロジェクタ５に出力する。
なお、実寸大で表示すると、図形が画面からはみ出してしまうときは、画面内に納まるように縮小表示し、そのときの縮尺を画面に表示するようにすることもできる。
【図面の簡単な説明】
【図１】本発明を適用した３次元ＣＡＤ装置の構成を示す図である。
【図２】図１の装置の動作を示すフローチャートである。
【図３】図１の液晶ディスプレイとプロジェクタの、画面サイズとピクセル数の関係を示す図である。
【符号の説明】
１…３次元ＣＡＤ装置
２…入力装置
３…入力制御部
４…液晶ディスプレイ
５…プロジェクタ
６…画面
７…表示制御部
８…外部記憶装置
９…記憶部
１０…形状作成部
【図１】
2004280271.tif 000003
【図２】
2004280271.tif 000004
【図３】
2004280271.tif 000005